(57)【要約】【課題】電源装置に対する異物の侵入などの不正行為を抑止するとともに、電源装置の排熱効果が高い電源装置を備えた遊技台を提供することを目的とする。【解決手段】複数の遊技装置が備えられる筐体と、前記筐体内部に設けられ、前記複数の遊技装置に電力を供給する電源基板と、前記電源基板を収納する収納体と、からなる電源ユニットと、を備えた遊技台であって、前記電源ユニットを包囲する電源ユニットケースを更に備え、前記電源ユニットケースは、前記電源ユニットケース内部に空気を取り入れる吸気口と、電源ユニットケース内部の空気を排出する排気口と、を有することを特徴とする。【選択図】図４
2010246846.tif 000002
【特許請求の範囲】
【請求項１】
複数の遊技装置が備えられる筐体と、
前記筐体内部に設けられ、前記複数の遊技装置に電力を供給する電源基板と、前記電源基板を収納する収納体と、からなる電源ユニットと、
を備えた遊技台であって、
前記電源ユニットを包囲する電源ユニットケースを更に備え、
前記電源ユニットケースは、前記電源ユニットケース内部に空気を取り入れる吸気口と、電源ユニットケース内部の空気を排出する排気口と、を有することを特徴とする遊技台。
【請求項２】
前記排気口は、前記吸気口よりも上方に設けられることを特徴とする請求項１に記載の遊技台。
【請求項３】
前記収納体は、複数の通気口を更に設けることを特徴とする請求項１または２に記載の遊技台。
【請求項４】
前記通気口は、前記吸気口及び排気口から異物の進入が困難な位置、形状又は角度で設けられることを特徴とする請求項３に記載の遊技台。
【請求項５】
異物の進入が困難なように前記通気口と前記吸気口及び排気口との配置位置をずらしたことを特徴とする請求項４に記載の遊技台。
【請求項６】
前記電源ユニットケースは、樹脂により成型されたことを特徴とする請求項１乃至５のうちのいずれか１項に記載の遊技台。
【請求項７】
前記吸気口及び排気口は、前記筐体を構成する板部材に設けられた開口に接して備えられることを特徴とする請求項１乃至６のうちのいずれか１項に記載の遊技台。
【請求項８】
前記電源基板は熱伝導率の高い金属からなるヒートシンクを更に備え、前記ヒートシンクが前記筐体を構成する板部材に設けられた開口から外部へ露出することを特徴とする請求項1乃至７のうちのいずれか１項に記載の遊技台。
【請求項９】
前記ヒートシンクが外部に露出している個所において、前記電源基板に対する異物の進入を前記収納体または前記電源ユニットケースが阻害することを特徴とする請求項８に記載の遊技台。
【請求項１０】
前記収納体は、導電性を有する金属板からなることを特徴とする請求項１乃至９のうちのいずれか１項に記載の遊技台。
【請求項１１】
前記遊技台がスロットマシンであることを特徴とする請求項１乃至１０のうちのいずれか１項に記載の遊技台。
【発明の詳細な説明】
【技術分野】
【０００１】
本発明は、スロットマシン（パチスロ機）に代表される遊技台に関する。
【背景技術】
【０００２】
従来遊技台には、島設備等から供給される交流電圧を直流電圧に変換し、遊技台内部に備えられた各種遊技装置に供給する電源装置が備えられていた。
【０００３】
この電源装置の作動時にはノイズが発生するため、ノイズによって遊技台内部に設けられた電装基板が誤作動や故障しないように導電性の金属板等で電源装置の周囲を覆っていた。
【０００４】
たとえば特許文献１の段落番号００７０には、金属板材を用いて方形箱状に形成されたカバー本体とカバー側板と操作板とに囲まれた内部に、電源基板ユニットを収容する構成が開示されている。
【先行技術文献】
【特許文献】
【０００５】
【特許文献１】特開２００８−１５４７４５号公報
【発明の概要】
【発明が解決しようとする課題】
【０００６】
ところが、近年の遊技装置の消費電力の増大に伴い、電源装置の動作に伴う発熱量が増加し、従来の金属板で覆われた電源装置では、内部に熱が滞留してしまい、故障する等の問題があった。
【０００７】
この問題に対して、特許文献１に記載の発明では、金属板に通気口を設けることで、電源装置内部に滞留した熱を外部へと放出する構造を開示している。
【０００８】
ところで、電源装置には外部から電力を受け取る部分や、遊技台内部の遊技装置へと電力を供給するためのコネクタが設けられており、金属板で覆われていないコネクタに対して、前述の通気口から針金等の異物を進入させ、意図的に電源装置を短絡させることで遊技状態を切り替える所謂ゴト行為が行われる虞があった。
【０００９】
本発明は上記の点にかんがみてなされたもので、電源装置に対する異物の侵入などの不正行為を抑止するとともに、電源装置の排熱効果が高い電源装置を備えた遊技台を提供することを目的とする。
【課題を解決するための手段】
【００１０】
本発明は上記の目的を達成するために、複数の遊技装置が備えられる筐体と、前記筐体内部に設けられ、前記複数の遊技装置に電力を供給する電源基板と、前記電源基板を収納する収納体と、からなる電源ユニットと、を備えた遊技台であって、前記電源ユニットを包囲する電源ユニットケースを更に備え、前記電源ユニットケースは、前記電源ユニットケース内部に空気を取り入れる吸気口と、電源ユニットケース内部の空気を排出する排気口と、を有することを特徴とする。
【００１１】
また本発明は、前記排気口は、前記吸気口よりも上方に設けられることを特徴とする。
【００１２】
また本発明は、前記収納体は、複数の通気口を更に設けることを特徴とする。
【００１３】
また本発明は、前記通気口は、前記吸気口及び排気口から異物の進入が困難な位置、形状又は角度で設けられることを特徴とする。
【００１４】
また本発明は、異物の進入が困難なように前記通気口と前記吸気口及び排気口との配置位置をずらしたことを特徴とする。
【００１５】
また本発明は、前記電源ユニットケースは、樹脂により成型されたことを特徴とする。
【００１６】
また本発明は、前記吸気口及び排気口は、前記筐体を構成する板部材に設けられた開口に接して備えられることを特徴とする。
【００１７】
また本発明は、前記電源基板は熱伝導率の高い金属からなるヒートシンクを更に備え、前記ヒートシンクが前記筐体を構成する板部材に設けられた開口から外部へ露出することを特徴とする。
【００１８】
また本発明は、前記ヒートシンクが外部に露出している個所において、前記電源基板に対する異物の進入を前記収納体または前記電源ユニットケースが阻害することを特徴とする。
【００１９】
また本発明は、前記収納体は、導電性を有する金属板からなることを特徴とする。
【００２０】
また本発明は、前記遊技台がスロットマシンであることを特徴とする。
【発明の効果】
【００２１】
本発明によれば、電源装置に対する異物の侵入などの不正行為を抑止するとともに、電源装置の排熱効果が高い電源装置を備えた遊技台を提供することができる。
【図面の簡単な説明】
【００２２】
【図１】実施例１に係るスロットマシン１００の外観斜視図である。
【図２】スロットマシン１００の内部構成の概略を示す前面扉１０２を開いた斜視図である。
【図３】前面扉１０２を外した状態のスロットマシン１００を示す正面図である。
【図４】電源ユニット６２０を構成する電源基板６６０及び収納体６４０と、電源ユニット６２０を覆う電源ユニットケース６００を分解した状態を表す斜視図である。
【図５】電源ユニットケース６００に覆われた状態の電源ユニット６２０を示す図であり、（ａ）は電源ユニット６２０の斜視図であり、（ｂ）は筐体１０１に組み付けた状態を示す斜視図である。
【図６】（ａ）は電源ユニットケース６００が電源ユニット６２０を覆った状態を示す斜視図であり、（ｂ）は図６（ａ）のＡ−Ａ’断面を示す側断面図であり、（ｃ）は図６（ａ）のＢ−Ｂ’断面を示す側断面図である。
【図７】電源ユニット６２０の電源スイッチ６６１及び各コネクタ６６２に部品が装着された状態を示す図であり、（ａ）は電源スイッチ６６１がスイッチケース６６１ａに覆われた状態を示す斜視図であり、（ｂ）はスイッチケース６６１ａを回動させて電源スイッチ６６１を露出させた状態を示す斜視図である。
【図８】電源基板６６０を覆い、電源基板６６０が発するノイズを防ぐシールド板金である収納体の、図６に示した例とは別の例であって収納体が開口を有さない例を示す図であり、（ａ）はこの別の例の、図６（ｂ）に相当する側断面図であり、（ｂ）はこの別の例の、図６（ｃ）に相当する側断面図である。
【図９】図６や図８に示した例とはさらに別の、電源ユニットケース蓋部および収納体を用いた例を示す図であり、（ａ）はこのさらに例の、図６（ｃ）に相当する側断面図であり、（ｂ）は電源ユニットケースを筐体１０１に組み付けた状態の背面板２４２における排気口周辺を拡大して示す斜視図である。
【図１０】本発明に係る遊技台の別の例を示す図であり、（ａ）はパチンコ機を示す図であり、（ｂ）はメダル落としゲーム機を示す図であり、（ｃ）はカジノマシンを示す図である。
【発明を実施するための形態】
【００２３】
以下、図面を用いて、本発明の実施例に係るスロットマシン（遊技台）について詳細に説明する。
【００２４】
（第１実施例）
＜全体構成＞
まず、図１を用いて、本発明の第１実施例に係るスロットマシン１００の全体構成について説明する。なお、同図はスロットマシン１００の外観斜視図を示したものである。
【００２５】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。なお、本実施例では、３個のリールをスロットマシン１００の中央内部に備えているが、リールの数やリールの設置位置はこれに限定されるものではない。
【００２６】
また、図柄表示窓１１３の外枠には、点滅や点灯などの点灯制御によって、後述する有効ラインや入賞ラインを報知するためのライン表示ＬＥＤ（図示省略）が配置されている。
【００２７】
さらに、スロットマシン１００内部において各々のリール１１０乃至１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０乃至１１２を停止させる。
【００２８】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２９】
スタートランプ１２１は、リール１１０乃至１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００３０】
メダル投入ボタン１３０、１３１は、スロットマシン１００に電子的に貯留されているメダルを所定の枚数分投入するためのボタンである。本実施例においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０又は１３１により電子的に投入することもできるし、メダル投入口１３４から実際のメダルを投入することもできる。精算ボタン１３２は、スロットマシン１００に電子的に貯留されたメダル及びベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００３１】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０乃至１１２が回転し、遊技が開始される。ストップボタン１３７乃至１３９は、スタートレバー１３５の操作によって回転を開始したリール１１０乃至１１２に対する停止操作を行うためのボタンであり、各リール１１０乃至１１２に対応して設けられている。そして、いずれかのストップボタン１３７乃至１３９を操作すると対応するいずれかのリール１１０乃至１１２が停止することになる。
【００３２】
ドアキー孔１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施例では発光可能な受皿を採用している。
【００３３】
上部ランプ１５０、サイドランプ１５１、中央ランプ１５２、腰部ランプ１５３、下部ランプ１５４は、遊技を盛り上げるための装飾用のランプである。演出装置１９０は、例えば開閉自在な扉（シャッター）１６３が前面に取り付けられた液晶表示装置を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
【００３４】
次に、スロットマシン１００の内部構成について説明する。
【００３５】
図２は、スロットマシン１００の内部構成の概略を示す前面扉１０２を開いた斜視図である。
【００３６】
本体部としてのキャビネット１０１の内部には、主基板収納ケース２１０、副制御基板収納ケース２２０及びリールユニット１８５や、図示を省略した電源ボックス、メダル払出装置１８０、メダル補助収納部２４０、中央スピーカユニット、外部中継端子板等の諸装置が配設されている。
【００３７】
リールユニット１８５は、樹脂製のケース２２１内にステッピングモータで駆動されるリール１１０乃至１１２を個別に着脱可能に取り付けて構成している。そして、このリールユニット１８５は、ケース２２１により３本のリールをユニット化し、キャビネット１０１に設けたリールユニット載置台２７８に対する着脱を容易に行えるように構成している。また、リールユニット載置台２７８の下部には、音通路２７７が取り付けられ、前面扉１０２がキャビネット１０１に閉じられた状態で前面扉１０２に取付られた音通路２６８と組み合わさるように構成している。中央スピーカユニットから出力された音は、この音通路２７７および音通路２６８を通過して外部に出力される。
【００３８】
キャビネット１０１の内部には、透明な樹脂ケースからなる基板収納ケースが、キャビネット１０１を構成している後板の上部に取り付けられている。この主基板収納ケース２１０の内部空間には、スロットマシン１００の全体的な制御を行う主制御部３００を構成する電気部品を実装した主制御基板が収納されている。
【００３９】
また、電源ユニットケース６００は、キャビネット１０１の後板の壁面に装着され、電源ユニットケース６００内には電源ユニット６２０が収容されている。電源ユニット６２０は、詳しくは後述する金属製ケースである収納体６４０（後述）の内部に、スロットマシン１００の諸装置へ必要な電力を供給するための電源基板６６０（後述）が収納されてなる。なお、電源基板６６０を収納した収納体６４０が、電源ユニットケース６００に収容された状態を電源装置２５２と呼ぶ。図２に示すように電源装置２５２には前面扉１０２を開放した際に操作可能となるスイッチ６６１が設けられている。
【００４０】
さらに、キャビネット１０１の内部には、メダルを払い出すためのメダル払出装置１８０（以下、ホッパー１８０ということがある）が配設してある。メダル払出装置１８０は、ＤＣモータで駆動されメダルを１枚ずつ払い出すと共に、メダルを払い出す毎に検出信号を出力する払出装置本体５１５と、払出装置本体５１５にメダルを供給するとともにメダルを蓄積するメダルタンク５１０とで構成されている。そして、メダル払出装置１８０の横には、メダル補助収納部２４０が置かれており、前記メダル払出装置１８０がメダルでいっぱいになると、余分なメダルは流れ落ち、このメダル補助収納部２４０内に蓄積される。
【００４１】
そして、前記主制御基板及びリール１１０乃至１１２の側方、即ち向って左側の側板には、副制御基板を収納した副制御基板収納ケース２２０が配設してある。
【００４２】
一方、キャビネット１０１の側板にヒンジ装置２７６を介して蝶着された前面扉１０２には、演出装置２９０、この演出装置を制御する演出制御基板を収納した演出制御基板収納ケース２７４、上部スピーカ２７２、図柄表示窓１１３を有するリールパネル２７０、投入されたメダルを選別するためのメダルセレクタ１７０、このメダルセレクタ１７０が不正なメダルや遊技者に返却すべきメダル等をメダル受皿１５６に落下させる際にメダルが通過する通路２６６等が設けてある。メダルセレクタ１７０は、さらに、投入されたメダルをメダルタンク５１０に案内する通路５４１を備えている。
【００４３】
図３は、前面扉１０２を外した状態のスロットマシン１００を示す正面図である。
【００４４】
筐体１０１は、上面板２６１、左側の側面板２６０、右側の側面板２６０、下面板２６４および背面板２４２で囲われ、前面に開口する箱体である。筐体１０１の内部には、背面板２４２の上部に設けた通風口２４９と重ならない位置に、内部に主制御基板を収納した主制御基板収納ケース２１０が配置され、この主制御基板収納ケース２１０の下方に、３つのリール１１０乃至１１２が配置されている。
【００４５】
主制御基板収納ケース２１０及びリール１１０乃至１１２の側方であって、向って左側の側面板２６０には、内部に副制御基板を収納した副制御基板収納ケース２２０が配設してある。また、向かって右側の側面板２６０には、主制御基板に接続されて、スロットマシン１００の情報を外部装置に出力する外部集中端子板２４８が取り付けられている。
【００４６】
また、リール１１０乃至１１２の下方には、メダル払出装置１８０が配設され、向かって左側の側面板２６０の下部には電源基板６６０を有する電源装置２５２が配設される。この電源装置２５２の上方には、スピーカ２５０が配設されている。更に、メダル払出装置１８０の右側には、メダル補助収納庫２４０が配設されている。尚、筐体１０１の内部には、設定キースイッチ２４４が設けられている。
【００４７】
図３に示すスロットマシン１００の、向かって左側の側面板２６０の下部に配設された電源装置２５２には、スロットマシン１００の外部から接続される電源コードを接続する電源コード接続部（図示せず）が設けてある。この電源コード接続部は、電源コードの一端に設けたＡＣコネクタに対応するコネクタ受である。このコネクタ受は、使用する電源コードに対応して設ければよく、電源コードのコード本体にアース線を含む三極コードを使用しているので、３つの刃部を有している。また、上記電源コード接続部の下方には、他の装置のアース線を接続するためのアース部（図示せず）が設けてある。また、電源基板を覆う収納体６４０（後述する）にもアース線が設けられ、上述のアース部に接続されている。
【００４８】
スロットマシン１００では、電源装置２５２に接続された電源コードが、筐体１０１の背面板２４２に開設した電源コード用穴（図示せず）を通して外部に延出している。
【００４９】
＜電源ユニットケースの構成＞
図４は、電源ユニット６２０を構成する電源基板６６０及び収納体６４０と、電源ユニット６２０を覆う電源ユニットケース６００を分解した状態を表す斜視図である。
【００５０】
電源基板６６０は、電力を生成する基板上に配設された複数の電子部品（図示せず）と、前述した、電源コードが接続される電源コード接続部（図示せず）と、生成した電力を接続されたハーネスによって各装置へと供給するコネクタ６６２と、電力の生成を行うか否かのスイッチ６６１と、電力の生成により発生した熱を外部へと放出するための導電性の高い材質（例えばアルミ等）により形成されたヒートシンク６６６を有して構成される。
【００５１】
前述したように電源基板６６０は、スロットマシン１００に配設された各装置へと電力を供給するが、具体的にはスロットマシン１００の外部から電源コードによって供給される交流電圧を直流電圧に変換し、更に各装置が必要とする電圧に変換している。その変換作業を行う際に発生する熱が一定の温度を超えてしまうと電源基板６６０が正常に変換作業を行えなくなるため、熱を電源基板６６０から逃がす必要があった。
【００５２】
また、近年の遊技台においては、遊技台毎に設定された抽選に使用される抽選値を変更する際に（所謂設定変更）、一度電源を落とし、再度電源を投入する作業を必要とするものがあった。その他にも、通常電源が投入されるものと想定される開店直後に来店した遊技者に特典を与えるために、電源が投入された直後の遊技状態を遊技者に有利な状態に設定する機能を有する遊技台があった。そのように設定されている遊技台に対して、強制的に電源の立ち上げ、立ち下げを行うことで不当に利益を得ようとする行為（所謂ゴト行為）を行う者がいた。
【００５３】
ゴト行為として一般的に知られるものは、遊技台外部より異物（例えばハリガネ）を隙間等から侵入させ、電源基板を強制的に短絡させることで強制的に電源の立ち下げ、立ち上げを行うものや、電源基板に設けられたスイッチを操作することで電源の立ち下げ、立ち上げを行っていた。
【００５４】
また、電源基板による変換作業が行われた際に生じるノイズがハーネス等を通じて他の装置に影響し、遊技台が誤動作を起こす問題があり、その対策として、導電性を有する板金等で電源基板を覆い、板金にアースを接続することで、電源基板で発生したノイズが他の装置に影響を与える前に遊技台外部へと逃がす構成をとるのが一般的だった。
【００５５】
本実施形態は、このような背景のもと不正行為を抑止するとともに電源基板の排熱を効果的に行うものである。
【００５６】
電源ユニットケース６００は樹脂により形成された基部６０１と蓋部３０２とからなるケース体であり、電源基板６６０と、電源基板６６０を覆うように配設された収納体６４０からなる電源ユニット６２０をカバーするものである。なお、本実施形態では、収納体６４０は図４に示すように成型したシールド板金である。収納体６４０の天面には開口である通気口６４１が設けられ、側面には開口である通気口６４２が設けられている。
【００５７】
電源ユニットケース６００は複数の位置に通気口を有している。この通気口の配置態様については後述する。また、電源ユニットケース６００には電源基板６６０の各コネクタ６６２やスイッチ６６１に対応する位置に予め開口が設けられている。
【００５８】
図４に示す電源ユニットケース６００においては基部６０１と蓋部６０２とによって電源ユニット６２０を挟み込む構成としているが、基部６０１と蓋部６０２との固定は、予め成型された爪等による係止構造で行っても良いし、ネジ等の部材による固定を行ってもよいし、不正対策として、カシメ部材等による固定を行っても良い。また、図４における電源ユニットケース６００は基部６０１を設けているが、これに限らず、電源ユニット６２０を直接スロットマシン１００の側面板の壁部に固定し、その上から電源ユニットケース（蓋部６０２）によって覆うように構成しても良い。
【００５９】
ヒートシンク６６６は、更に熱伝導シート等を電源基板６６０との間に配置して放熱効率を向上させても良い。また、本実施形態においてはヒートシンク６６６のフィン部分６６６ａが露出する構成としているが、これに限定されず、例えばヒートシンク６６６全体を収納体６４０及び電源ユニットケース６００の外部に設け、電源基板６６０に熱伝導シートや熱伝導率の高い薄板等を接続して放熱を行うように構成しても良い。
【００６０】
なお、詳しくは後述するが、電源ユニットケース６００の蓋部６０２の上部には排気口６０４が設けられ、下部には吸気口６０３、６０５および６０６が設けられている。
【００６１】
図５は、電源ユニットケース６００に覆われた状態の電源ユニット６２０を示す斜視図である。なお、図５（ａ）においては、電源ユニットケース６００の外郭を破線で表し、内部に配設された電源ユニット６２０を透視可能に図示している。電源ユニットケース６００は図５（ａ）に示すように透明な樹脂により形成されても良く、また、逆に色を有することで不透明に形成されても良い。
【００６２】
図５（ａ）に示すように、収納体６４０の底面には開口である通気口６４３が設けられている。
【００６３】
図５（ｂ）に示すように、スロットマシン１００の筐体１０１では、背面板２４２に予め開口２４２ａを設け、電源ユニットケース６００を配置した際に、電源ユニットケース６００の上部に設けられた排気口６０４や、下部に設けられた吸気口６０３がスロットマシン１００の外部に露呈するようにされている。
【００６４】
また、それと共に、電源基板６６０に配設されたヒートシンク６６６のフィン部分６６６ａも開口２４２ａからスロットマシン１００の外部へと露呈している。詳細は後述するが、図５（ｂ）のように排気口６０４や吸気口６０３をスロットマシン１００の外部に設けることで、電源基板６６０から発せられる熱の排気を効率良く行うことが可能となる。また、このとき吸気口６０５および６０６からは、筐体１０１内であって電源ユニットケース６００の外の空気を取り入れることができ、電源基板６６０以外の装置により生じる熱の排熱も効果的に行うことができる。
【００６５】
また、本実施形態では排気口６０４を、吸気口６０３、６０５および６０６よりも上方に設けているため、温度が高い空気は軽い故に上昇する性質から、電源ユニットケース６００内部の空気は、排気口６０４へと向かうので、電源ユニットケース６００内に滞留することなく、排熱効果を高めることができる。
【００６６】
なお、ヒートシンク６６６が外部に露出していて、電源基板６６０に対する異物の進入を収納体６４０や電源ユニットケース６００が阻害する構成になっている。
【００６７】
図６（ａ）は電源ユニットケース６００が電源ユニット６２０を覆った状態を示す斜視図であり、図６（ｂ）は図６（ａ）のＡ−Ａ’断面を示す側断面図であり、図６（ｃ）は図６（ａ）のＢ−Ｂ’断面を示す側断面図である。図６（ｂ）、（ｃ）に示した破線の矢印は、電源ユニットケース６００内の空気の流れを示すものである。なお、図６（ｂ）、（ｃ）においては電源基板６６０に搭載される電子部品の図示を省略してある。
【００６８】
上述のように、電源ユニットケース６００の蓋部６０２には、排気口６０４ならびに吸気口６０３、６０５および６０６を設けており、収納体６４０には、通気口６４１、６４２および６４３を設けている。一般に電源基板６６０に達する開口を通って異物を挿入されて不正行為を行われてしまう虞がある。しかしながら、本実施形態では、蓋部６０２の開口すなわち排気口６０４ならびに吸気口６０３、６０５および６０６と、収納体６４０の開口すなわち通気口６４１、６４２および６４３とで、配置位置をずらしている。たとえば図６（ｂ）に示す通気口６４２では、下方に設けられた吸気口６０５から十分な距離離れた位置に設けている。このため、本実施形態では、異物が蓋部６０２の開口を通り抜け、さらに収納体６４０の開口を通り抜けるのは、ほぼ不可能な構成になっている。
【００６９】
また、電源ユニットケース６００を、その内部を透かして見ることができない色のものにすれば、不正行為者は、電源ユニットケース６００の内部を視認できず、収納体６４０の開口の位置を知ることができないため、不正行為をしにくいという効果がある。
【００７０】
また、本実施形態では、温度が高い空気は軽い故に上昇する性質から、上方に設けた排気口６０４から温度が高い空気が排出され、吸気口６０３、６０５および６０６から空気を取り入れ、蓋部６０２と収納体６４０との間の排熱流路６０７、６０８および６０９や、収納体６４０の通気口６４１、６４２および６４３を通った収納体６４０内の排熱流路６１０において、図６（ｂ）の破線の矢印に示したような空気の流れが生じ、排熱効果が高まる。電源基板６６０の発熱は排熱流路６１０によって排熱される。また、収納体６４０に通気口６４１、６４２および６４３を複数備えたことで空気が通過できる排熱流路６１０が複数になり、効率のよい排熱を行うことができる。なお、ここで排熱流路とは、吸気口から取り入れられた空気が排気口に達するまで通過する経路をいう。
【００７１】
なお、本実施形態では、排気口６０４として１つの排気口しか設けていないが、本発明はこれに限定されものではなく、複数の排気口を設けてもよい。
【００７２】
また本実施形態では、開口である排気口６０４や吸気口６０３を筐体１０１の外部に露出させることによって、外部の冷えた空気を取り入れて、熱は筐体１０１内に排出せずに筐体１０１の外に排出することができるので、効率のよい排熱を行うことができる。
【００７３】
従来は、このように筐体１０１の外部に開口を露出させると、この開口から異物を挿入されて不正行為の心配があったが、本実施形態によれば上述のように異物を不正行為の対象に到達させるのがほぼ不可能である。
【００７４】
ところで、吸気口は下方に開口が向くように設け、排気口は上方へ開口が向くように設けることが好ましい。このようにすることにより、熱による上昇気流の流れをスムーズに生じさせることができる。
【００７５】
また、本実施形態では、空気の流れを熱による上昇気流によって生じさせたが、本発明はこれに限られるものではなく、吸気口及び排気口等の開口に強制的に空気を流動させる例えばファン等を設けてもよい。
【００７６】
図７は、電源ユニット６２０の電源スイッチ６６１及び各コネクタ６６２に部品が装着された状態を示す図であり、（ａ）は電源スイッチ６６１がスイッチケース６６１ａに覆われた状態を示す斜視図であり、（ｂ）はスイッチケース６６１ａを回動させて電源スイッチ６６１を露出させた状態を示す斜視図である。
【００７７】
図７（ａ）において、電源スイッチ６６１はスイッチケース６６１ａに覆われている。このスイッチケース６６１ａは、スロットマシン１００の内部に侵入した異物により電源スイッチ６６１が不正に操作されることを防止するためのケースである。スロットマシン１００が遊技者に供されるときには、図７（ａ）のように電源スイッチ６６１がスイッチケース６６１ａに覆われた状態にし、ホール店員等が電源スイッチ６６１を操作する際には、図７（ｂ）のようにスイッチケース６６１ａを回動させて電源スイッチ６６１を露出させ、電源スイッチ６６１を操作する。
【００７８】
ところで、電源ユニットケース６００は、樹脂による成型からなっている。樹脂成型は板金等に対して形状の自由度が高く、電源ユニットケースには複数位置に開口を設ける必要があり、そのような加工を行う場合にも、板金等は穴あけの加工が別に必要になるが、樹脂成型であれば、成型の時点で開口を設けることができるため、作業の短縮とコストの削減を同時に行うことが可能となる。更にスイッチケース６６１ａのような部材を取り付ける場合においても、接着材による劣化の心配が低く、また、取り付けの基部等を予め設ける場合でも成型が楽になり、組付けが容易であるという効果を奏する。
【００７９】
また、図７（ａ）および（ｂ）に示すように、コネクタ６６２にケーブル等を取り付けた場合において、金属の導通部が露出しないため、更に異物の進入による不正行為を抑止することが可能となります。
【００８０】
（第２実施例）
＜収納体の別の例＞
図８は、電源基板６６０を覆い、電源基板６６０が発するノイズを防ぐシールド板金である収納体の、図６に示した例とは別の例であって収納体が開口を有さない例を示す図であり、（ａ）はこの別の例の、図６（ｂ）に相当する側断面図であり、（ｂ）はこの別の例の、図６（ｃ）に相当する側断面図である。図８において、収納体以外は、図６と同じ構成であるので同じ参照番号を付して詳細な説明は省略する。図８（ａ）、（ｂ）に示した破線の矢印は、電源ユニットケース６００内の空気の流れを示すものである。なお、図６（ａ）、（ｂ）においては電源基板６６０に搭載される電子部品の図示を省略してある。
【００８１】
図８の例では、図６に示した収納体６４０の代わりに収納体１６４０を用いている。
【００８２】
本実施形態の収納体１６４０は、シールド板金により形成され、電源基板６６０を内部に収容することで電源基板６６０が発するノイズを吸収し、またアースから逃がすことで、スロットマシン１００に備えられた他の装置の誤作動を防止するよう機能する。
【００８３】
また本実施形態の収納体１６４０は、図６の収納体６４０とは異なり、シールド板金に開口が設けられていない。このため、開口を形成する作業が不要となり更に作業短縮及びコスト削減することが可能となる。また、収納体１６４０には開口がなく電源基板６６０を収納体１６４０で完全に覆うため、異物を電源基板６６０に接触させるゴト行為自体を確実に防止することが可能となる。
【００８４】
更に、収納体１６４０のシールド板金は金属である故に熱伝導率が高いので、電源ユニットケース６００と電源ユニット６００との間、すなわち図８の蓋部６０２と収納体１６４０との間の隙間によって排熱流路１６０７、１６０８や１６０９が形成されていれば、吸気口６０３、６０５および６０６から取り入れられた空気がこの排熱流路１６０７、１６０８や１６０９を通過する際に、収納体１６４０から熱を奪うこととなり、これによって電源基板６６０の熱を外部へと排出することが可能となる。
【００８５】
図８に示したように、電源基板６６０を覆う収納体１６４０と、これらを覆う電源ユニットケース６００とによる排熱流路１６０７、１６０８や１６０９を形成し、当該排熱流路１６０７、１６０８や１６０９にスロットマシン１００の外部からの空気を通過させることで、電源基板６６０が発生した熱をスロットマシン１００の外部へと排出することが可能であり、また、電源基板６６０は収納体１６４０で完全に覆われているので不正行為を防止できるため、遊技者が安心して遊技を行うことが出来るスロットマシン１００を提供することが可能となる。
【００８６】
また、本実施形態では排気口６０４を、吸気口６０３、６０５および６０６よりも上方に設けているため、熱気が上昇する性質から、電源ユニットケース６００内部の空気は、排気口６０４へと向かうので、電源ユニットケース６００内に滞留することなく、排熱効果を高めることができる。
【００８７】
（第３実施例）
＜電源ユニットケース蓋部および収納体のさらに別の例＞
図９は、図６や図８に示した例とはさらに別の、電源ユニットケース蓋部および収納体を用いた例を示す図であり、（ａ）はこのさらに例の、図６（ｃ）に相当する側断面図であり、（ｂ）は電源ユニットケースを筐体１０１に組み付けた状態の背面板２４２における排気口周辺を拡大して示す斜視図である。図９において、電源ユニットケース蓋部および収納体以外は、図６と同じ構成であるので同じ参照番号を付して詳細な説明は省略する。図９（ａ）に示した破線の矢印は、電源ユニットケース内の空気の流れを示すものである。なお、図９（ａ）においては電源基板６６０に搭載される電子部品の図示を省略してある。
【００８８】
図９の例では、図６に示した電源ユニットケース６００の蓋部６０２および収納体６４０の代わりに、電源ユニットケース６００の蓋部２６０２および収納体２６４０を用いている。
【００８９】
本実施形態の収納体２６４０は、シールド板金により形成され、電源基板６６０を内部に収容することで電源基板６６０が発するノイズを吸収し、またアースから逃がすことで、スロットマシン１００に備えられた他の装置の誤作動を防止するよう機能する。また、収納体２６４０は、通気口２６４１や２６４３のような複数の開口を有する。
【００９０】
本実施形態における電源ユニットケース６００の蓋部２６０２は、空気が温まると上昇するという特性を更に利用するため、排気口２６０４に通じる蓋部２６０２の天井部２６０２ｂを構成する面を排気口２６０４に向かって徐々に天井が高くなるように構成されている。
【００９１】
また、角には空気が滞留しやすいため、本実施形態の蓋部２６０２では角部２６０２ａの内面を湾曲して設けている。これにより吸気口２６０３と排気口２６０４の間に形成された排熱流路を通過する空気がよりスムーズに電源ユニット６２０及び電源ユニットケース６００内を通過することが可能となる。
【００９２】
また、本実施形態では、電源基板６６０を覆う収納体２６４０を形成する導電性を有する板金からなるシールド板金の形状にも特徴を有する。図６に示した例では、吸気口６０４及び排気口６０３の開口から電源基板６６０への不正行為を防止するために、たとえば互い違いのように配置位置をずらしたり、開口から角度をつけたりすることで異物の進入を防止していたが、本実施形態においては、より異物の進入を困難にするためにシールド板金に形成された開口の一部（通気口２６４１）がシールド板金に重なって隠された状態に形成し、更に、板金を重ねあうために設けた斜面が開口（排気口２６０４）方向へ向く、すなわち異物を挿入されやすい開口（排気口２６０４）の側に通気口２６４１の開口が向いていないように構成したため、電源基板６６０への異物の侵入をより困難にすることが可能となった。電源基板６６０を覆うシールド板金をこのような形状に構成しても、電源ユニットケース６００の蓋部２６０２が排熱流路を形成していることで、排熱流路内を空気がスムーズに流動し、電源基板６６０の熱を外部へと排出することが可能となる。
【００９３】
なお、吸気口及び排気口から進入した異物が収納体内部に設けられた電源基板と接触するのを防ぐために、収納体に設けた通気口は、吸気口及び排気口から離れた位置に設けることもできるし、通気口は吸気口及び排気口とは反する方向に向けて角度をもって設けることもできるし、図９のように収納体の開口に覆い重なるように形成することもできる。
【００９４】
以上、本発明に係る遊技台がスロットマシンの場合を例に説明したが、本発明に係る遊技台はこれに限られるものではない。
【００９５】
本発明に係る遊技台は図１０（ａ）に示す、「所定の遊技領域に球を発射する発射装置と、発射装置から発射された球を入球可能に構成された入賞口と、入賞口に入球した球を検知する検知手段と、検知手段が球を検知した場合に球を払出す払出手段と、所定の図柄（識別情報）を変動表示する可変表示装置を備え、入賞口に遊技球が入って入賞することを契機として、可変表示装置が図柄を変動させた後に停止表示させて、遊技状態の推移を告知するようなパチンコ機」にも好適である。
【００９６】
また、パチンコ機は前述のスロットマシンと異なり、通常は、背面を板で覆う等の密閉構造となっていないため、電源基板がケースに覆われた状態で露出している。そのため本発明のようなケースで覆うことでゴト行為等の不正行為を防止しつつ、放熱により熱暴走等の故障を無くすことで快適に遊技を行うことが可能となる。
【００９７】
また、本発明に係る遊技台は図１０（ｂ）に示すメダル落としゲーム機のような遊技機においても有効である。例えば、図１０（ｂ）のメダル落としゲーム機において、不正器具による電源基板への操作により、不正行為を行う者の思い通りに電源のＯＮ・ＯＦＦが可能になった場合には、意図的に電源をＯＦＦした状態において、筐体を持ち上げ、メダル落とし口にメダルを大量に流し込まれてしまう虞があった。通常、電源ＯＮ状態において、傾き等による検知がされているが、電源が強制的にＯＦＦにされた場合には、傾きセンサによる検知も行われなくなってしまっていた。このような問題を鑑みて、図１０（ｂ）のメダル落としゲーム機の電源基板に発明を適用することで、未然に不正行為を防止することが可能となる。
【００９８】
さらに本発明に係る遊技台は図１（ｄ）に示す、「紙幣投入口２００２に紙幣を投入し、ベット２００４およびスタート２００６操作に基づいて抽選を実行し、抽選結果を抽選結果表示装置２００７で表示し、当選時には特典コイン数を残クレジット数に加算し、キャッシュアウト２００８が選択された場合には、レシート発行機２０１０から残クレジット数に対応するコードが記載されたレシートを発行するカジノマシン２０００」であってもよい。
【００９９】
（効果）
以上説明した本発明によれば、遊技装置に電力を供給する電源ユニットをケースにより包囲したことで、電源ユニットに対する異物の挿入などの不正行為を実施困難にし、ケース内部に電源ユニットとケースの内壁との間に空気の流路が形成され、更に、ケースに吸気口と排気口をそれぞれ設けることにより、当該流路により吸気口から取り入れられた空気が排気口へと導かれることで、ケース内部に滞留した熱を外部へと排出することが可能となる。すなわち、収納体とケースの２重構造にすることで、その収納体とケースとの間に流路を形成し、通風性の良さと、異物進入規制による不正対策を同時に行うことができる。
【０１００】
また本発明によれば、排気口を吸気口よりも上方に設けることで、温まった空気が上方へと移動する原理を利用して効率良く空気の取り込みから排気を行うことが可能となる。またケース内部の空気の滞留を抑止することができ、流路内を空気が常に通過するようになる。
【０１０１】
また本発明によれば、電源ユニットケース内部の収納体に通気口を備えることにより、吸気口から取り入れられた空気を収納体内部へと更に取り入れることが可能となる。これにより電源基板の発する熱をより収納体及び電源ユニットケースの外部へと排出することが可能となる。かつ、電源ユニットケースに覆われているため通気口から異物の進入が困難なため不正対策が施された状態を維持することができる。
【０１０２】
また、収納体自体に複数の通気口を備えることで、新たな流路が構成され、空気の流入により更に電源基板の熱を排熱することが可能となる。
【０１０３】
また本発明によれば、通気口を異物の進入が困難に設けることで、効率良く電源ユニット内部の排熱を行えるとともに異物の進入による不正行為の実施を抑止することが可能となる。
【０１０４】
また本発明によれば、異物の進入が困難なように前記通気口と前記吸気口及び排気口との配置位置をずらすことにより、効率良く電源ユニット内部の排熱を行えるとともに異物の進入による不正行為の実施を抑止することが可能となる。
【０１０５】
また本発明によれば、電源ユニットケースを樹脂成型により製造することで、吸気口や排気口をケースに容易に設けることが可能となる。樹脂成型によれば複雑な形状のものでも容易に形成することができる。また、電源ユニットケースに他の部品を取り付ける際に板金等と比較して容易に取付けを行うことが可能で、スポット溶接等の別加工の必要がない。
【０１０６】
また本発明によれば、排気口や吸気口を遊技台の外部に面した位置に設けることにより、遊技台内部よりも温度の低い遊技台外部の空気を取り込み可能となり、また排出する熱を帯びた空気を遊技台外部に放出するため、遊技台内部の他の遊技装置に与える影響が少なくなる。したがって遊技台内部の温度を上げなくて済む。また、排気口や吸気口から視認可能な位置には収納体が備えられているため、遊技台外部からの異物の進入も困難にした状態で不正対策を行うことが可能となる。
【０１０７】
また本発明によれば、電源基板に設けられたアルミ等の熱伝導率の高い金属からなるヒートシンクを遊技台の外部に露出させることで電源基板の排熱を効率よく行えると共に、電源ユニットケース及び収納体によって電源基板自体は包囲されているため不正な行為が行われないようになっている。
【０１０８】
また本発明によれば、収納体をシールド板金で構成することにより、電源装置の発するノイズによる他の遊技装置への影響を防ぐことができ、異物の進入を規制しつつ、電源ユニットケース内部の排熱を行うことが可能となる。
【０１０９】
また本発明は、箱体の内部に複数の遊技装置を備えるために箱体に熱が滞留しやすいスロットマシンの電源基板に好適であり、熱を発する基板であれば、電源装置以外の他の実施形態にも好適である。例えば、高性能の描画性能を持つ描画チップを演出制御基板に設けた場合に高熱を発するケースが考えられるが、本発明は、そのような、高熱を発する基板であれば、電源ユニットでなくても演出制御基板（画像表示に関する制御回路を含む）の周囲を覆うケース体に応用して適用することが可能である。
【産業上の利用可能性】
【０１１０】
本発明に係る遊技台は、スロットマシンなどに代表される遊技台に適用することができる。
【符号の説明】
【０１１１】
１００  スロットマシン
１０１  本体
１０２  前面扉
１１０  左リール
１１１  中リール
１１２  右リール
１１３  図柄表示窓
１１４  入賞ライン
１２０  入賞ライン表示ランプ
１２１  スタートランプ
１２３  告知ランプ
１２４  メダル投入ランプ
１２５  払出枚数表示器
１２６  遊技回数表示器
１２７  貯留枚数表示器
１２８  リールパネルランプ
１３０  メダル投入ボタン
１３２  精算ボタン
１３３  メダル返却ボタン
１３４  メダル投入口
１３５  スタートレバー
１３７〜１３９  ストップボタン
１４０  ドアキー孔
１５０  上部ランプ
１５１  サイドランプ
１５２  中央ランプ
１５３  腰部ランプ
１５４  下部ランプ
１５５  メダル払出口
１５６  メダル受皿
１６０  音孔
１６２  タイトルパネル
１６３  扉
１７０  メダルセレクタ
１９０  演出装置
２７０  装飾パネル
２７２  上部スピーカ
２７４  演出制御基板収納ケース
２９０  演出装置
６６０  電源基板
６４０  収納体
６０１  電源ユニットケース基部
６０２  電源ユニットケース蓋部
【図１】
2010246846.tif 000003
【図２】
2010246846.tif 000004
【図３】
2010246846.tif 000005
【図４】
2010246846.tif 000006
【図５】
2010246846.tif 000007
【図６】
2010246846.tif 000008
【図７】
2010246846.tif 000009
【図８】
2010246846.tif 000010
【図９】
2010246846.tif 000011
【図１０】
2010246846.tif 000012